(57)【要約】【課題】送信電力の振動を生じさせることなく受信信号のＳＩＲ値をＳＩＲ収束値に正確に収束させる送信電力制御方法を提供する。【解決手段】送信電力制御局２のＳＩＲ推定部２２では、受信部２０からの受信信号３８に基づいて平均処理時間の長いＳＩＲ推定値４０と短いＳＩＲ推定値４２とを算出する。減算器２４ではＳＩＲ推定値４０からＳＩＲ収束値を減算して減算結果４４を出力し、誤差判定回路２６では減算結果４４と閾値とを比較して判定結果４６を出力する。比較値書換部２８では比較値保持部３０のＳＩＲ比較値を判定結果４８に基づいて補正し、減算器３２ではＳＩＲ推定値４２からＳＩＲ比較値を減算して減算結果５２を出力する。制御情報変換部３４では減算結果５２に基づいて電力制御情報５４を生成する。電力制御情報５４は送信部３６から送信電力被制御局１へ送られる。送信電力被制御局１では、送信電力制御局２から送られてきた電力制御情報５４に従って送信電力を増減する。【選択図】        図１
2005006252.tif 000002
【特許請求の範囲】
【請求項１】
送信電力被制御局の送信電力を送信電力制御局から制御する送信電力制御方法において、該方法は、
前記送信電力制御局の受信信号から算出された平均処理時間の短いＳＩＲ推定値に基づいて前記送信電力被制御局の送信電力を制御し、前記送信電力制御局の受信信号から算出された平均処理時間の長いＳＩＲ推定値とに基づいて前記平均処理時間の短いＳＩＲ推定値の誤差を補正することを特徴とする送信電力制御方法。
【請求項２】
請求項２に記載の送信電力制御方法は、
前記送信電力制御局により受信された受信信号から平均処理時間の長いＳＩＲ推定値と平均処理時間の短いＳＩＲ推定値とを算出する工程と、
前記平均処理時間の短いＳＩＲ推定値が比較値保持手段により保持されているＳＩＲ比較値に収束するように送信電力を制御する電力制御情報を生成する工程と、
前記平均処理時間の長いＳＩＲ推定値が所望のＳＩＲ収束値に収束するように前記比較値保持部に保持されているＳＩＲ比較値を補正する工程と、
前記送信電力被制御局の送信電力を前記電力制御情報に従って制御する工程とを含むことを特徴とする送信電力制御方法。
【請求項３】
受信信号から平均処理時間の長いＳＩＲ推定値と平均処理時間の短いＳＩＲ推定値とを算出するＳＩＲ推定手段と、
ＳＩＲ比較値を保持する比較値保持手段と、
前記ＳＩＲ推定手段により算出された平均処理時間の短いＳＩＲ推定値が前記比較値保持部に保持されているＳＩＲ比較値に収束されるように送信電力を制御する電力制御情報を生成する電力制御情報生成手段と、
前記ＳＩＲ推定手段により算出された平均処理時間の長いＳＩＲ推定値が所望のＳＩＲ収束値に収束するように前記比較値保持部に保持されているＳＩＲ比較値を補正する比較値書換手段とを含む送信電力制御局と、
前記電力制御情報に従って送信電力を制御する送信電力被制御局とを含むことを特徴とする送信電力制御システム。
【請求項４】
請求項３に記載のシステムにおいて、前記ＳＩＲ推定手段は、
受信信号の平均電力を算出する平均電力算出手段と、
該平均電力算出手段により算出された平均電力の平均値を算出する平均値算出手段と、
受信信号の希望波成分の平均電力を算出する他の平均電力算出手段と、
該他の平均電力算出手段により算出された平均電力の平均値を算出する他の平均値算出手段と、
前記平均電力算出手段と他の平均電力算出手段とにより算出された平均電力に基づいて平均処理時間の短いＳＩＲ推定値を算出するＳＩＲ推定値算出手段と、
前記平均値算出手段と他の平均値算出手段とにより算出された平均値に基づいて平均処理時間の長いＳＩＲ推定値を算出する他のＳＩＲ推定値算出手段とを有することを特徴とする送信電力制御システム。
【請求項５】
請求項３に記載のシステムにおいて、前記比較値書換手段は、前記ＳＩＲ推定手段により算出された平均処理時間の長いＳＩＲ推定値と所望のＳＩＲ収束値との差の絶対値が予め定められた閾値より大きいとき、前記比較値保持部に保持されているＳＩＲ比較値を補正することを特徴とする送信電力制御システム。
【発明の詳細な説明】
【０００１】
【発明の属する技術分野】
本発明は、送信電力を制御する送信電力制御方法およびシステムに関し、特に受信信号のＳＩＲ（希望波対干渉波電力比）値が所望のＳＩＲ収束値に収束するように送信電力を制御する送信電力制御方法およびシステムに関する。
【０００２】
【従来の技術】
一般に、ＣＤＭＡ方式等の移動体通信システムにおける基地局では、基地局と各移動局間の距離の変動に伴って発生する干渉を低減させるため、受信信号のＳＩＲ値に基づいて各移動局の送信電力を制御している（例えば、特許文献１および特許文献２）。図３は、従来のＳＩＲ推定を用いた送信電力制御システムの一例を示すブロック図である。
【０００３】
図３において、送信電力被制御局３と送信電力制御局４は無線で通信を行なう無線送受信装置である。送信電力被制御局３は、送信電力制御局４から送られてくる電力制御情報を受信部６２により受信し、受信した電力制御情報に従って送信部６０から出力する送信電力を制御する。送信電力制御局４は、送信電力被制御局３から送られてくる信号を受信部６４により受信し、受信した信号のＳＩＲ値をＳＩＲ推定器６６により推定し、減算器６８によりＳＩＲ推定値とＳＩＲ収束値との差を求め、その差に基づいて電力制御情報を制御情報変換部７０により生成し、生成した電力制御情報を送信部７２により送信電力被制御局３へ送信する。送信電力被制御局３の送信電力は、送信電力制御局４のＳＩＲ推定器６６により算出されたＳＩＲ推定値がＳＩＲ収束値に一致するように制御される。
【０００４】
図４は、図３のＳＩＲ  推定器６６の一例を示すブロック図である。二乗演算器２００は受信信号２１２を二乗して電力を算出し、平均演算器２０２は二乗演算器２００で算出された電力の平均値２１４を算出する。この平均値２１４は希望波成分および干渉波成分からなる受信信号２１２の平均電力である。平均演算器２０４は受信信号２１２の同相平均値（電圧和の平均値）を算出し、二乗演算器２０６は平均演算器２０４で算出された同相平均値を二乗してその電力２１６を算出する。この電力２１６は、受信信号２１２の希望波成分の平均電力（Ｓ）である。減算器２０８は、平均電力２１４から平均電力２１６を減算して減算結果２１８を出力する。減算結果２１８は、干渉波成分の平均電力（Ｉ）となる。除算器（Ｓ／Ｉ）２１０は、平均電力２１６を平均電力２１８で除算してＳＩＲ推定値２２０を算出する。
【０００５】
【特許文献１】
特開２００１−７７６３号公報
【特許文献２】
特開２００２−２４６９５８号公報。
【０００６】
【発明が解決しようとする課題】
しかしながら、図４のＳＩＲ推定器６６により、受信信号２１２のＳＩＲ値を正確に推定するためには、受信信号２１２から希望波成分のみを抽出する必要がある。そのためには、平均演算器２０４において受信信号２１２の同相平均値を算出する際に、同相平均の対象となる受信信号２１２の数をできるだけ多くすることが望ましい。しかし、受信信号２１２の数を多くすると、それだけ同相平均値を算出するに要する時間（平均処理時間）が長くなる。
【０００７】
一方、図３の送信電力制御システムでは、ＳＩＲ推定器６６により算出されたＳＩＲ推定値に基づいてフィードバック電力制御を行なっているので、フィードバック応答時間はＳＩＲ推定値の平均処理時間により決定され、フィードバック応答時間はＳＩＲ推定値の平均処理時間が長いほど遅くなる。フィードバック応答時間が遅くなると、送信電力被制御局４から出力される送信電力が振動しやすくなるという問題が生ずる。したがって、送信電力の振動を抑えるためにはＳＩＲ推定値の平均処理時間を短く設定する必要がある。しかし、平均処理時間を短くすると前述のように、受信信号２１２から希望波成分のみを抽出することができなくなるので、ＳＩＲ推定器６６により算出されたＳＩＲ推定値は実際のＳＩＲ値と異なることとなり、送信電力制御により受信信号のＳＩＲ値をＳＩＲ収束値に正確に収束させることができない。
【０００８】
本発明はこのような従来技術の欠点を解消し、送信電力の振動を生じさせることなく、受信信号のＳＩＲ値をＳＩＲ収束値に正確に収束させることができる送信電力制御方法およびシステムを提供することを目的とする。
【０００９】
【課題を解決するための手段】
本発明による送信電力制御方法は上記の問題を解決するために、送信電力被制御局の送信電力を送信電力制御局から制御する送信電力制御方法において、送信電力制御局の受信信号から算出された平均処理時間の短いＳＩＲ推定値に基づいて送信電力被制御局の送信電力を制御し、送信電力制御局の受信信号から算出された平均処理時間の長いＳＩＲ推定値とに基づいて平均処理時間の短いＳＩＲ推定値の誤差を補正することを特徴とする。
【００１０】
この場合、送信電力制御方法は、送信電力制御局により受信された受信信号から平均処理時間の長いＳＩＲ推定値と平均処理時間の短いＳＩＲ推定値とを算出する工程と、平均処理時間の短いＳＩＲ推定値が比較値保持手段により保持されているＳＩＲ比較値に収束するように送信電力を制御する電力制御情報を生成する工程と、平均処理時間の長いＳＩＲ推定値が所望のＳＩＲ収束値に収束するように比較値保持部に保持されているＳＩＲ比較値を補正する工程と、送信電力被制御局の送信電力を電力制御情報に従って制御する工程とを含むのがよい。
【００１１】
また、本発明による送信電力制御システムは、受信信号から平均処理時間の長いＳＩＲ推定値と平均処理時間の短いＳＩＲ推定値とを算出するＳＩＲ推定手段と、ＳＩＲ比較値を保持する比較値保持手段と、ＳＩＲ推定手段により算出された平均処理時間の短いＳＩＲ推定値が比較値保持部に保持されているＳＩＲ比較値に収束されるように送信電力を制御する電力制御情報を生成する電力制御情報生成手段と、ＳＩＲ推定手段により算出された平均処理時間の長いＳＩＲ推定値が所望のＳＩＲ収束値に収束するように比較値保持部に保持されているＳＩＲ比較値を補正する比較値書換手段とを含む送信電力制御局と、電力制御情報に従って送信電力を制御する送信電力被制御局とを含むことを特徴とする。
【００１２】
【発明の実施の形態】
次に添付図面を参照して本発明による送信電力制御方法の実施例を詳細に説明する。
【００１３】
図１は、本実施例による送信電力制御システムを示すブロック図である。この送信電力制御システムは、送信電力被制御局１と送信電力制御局２とから構成され、送信電力制御局２は受信信号から算出したＳＩＲ推定値に基づいて電力制御情報５４を生成し、送信電力被制御局１は送信電力制御局２で生成された電力制御情報５４に従って送信電力を制御するものである。例えば、送信電力被制御局１を移動体通信システムの移動局に、送信電力制御局２を基地局にそれぞれ適用できる。なお、図１において、接続線に付した参照符号はその接続線に現れる信号を表わす。
【００１４】
送信電力被制御局１は、送信部１０と受信部１２とを含む無線送受信装置である。送信部１０は、送信信号１４により変調された高周波信号を生成して送信する無線送信部であり、本実施例では、受信部１２から与えられる電力制御情報５４に従って送信電力を一定の割合でステップ的に増減する送信電力制御手段を有する。受信部１２は、送信電力制御局２から送られてくる信号を受信し、受信した信号を復調して受信信号１６を出力する無線受信部であり、本実施例では、復調された信号から電力制御情報５４を抽出して送信部１０に与える電力制御情報抽出手段を有する。
【００１５】
一方、送信電力制御局２は、受信信号から算出したＳＩＲ推定値に基づいて電力制御情報を生成する無線送受信装置である。本実施例では、特に、ＳＩＲ推定部２２により平均処理時間の長いＳＩＲ推定値４０と平均処理時間の短いＳＩＲ推定値４２とを算出し、ＳＩＲ推定値４２に基づいて送信電力を制御する電力制御情報５４を生成し、ＳＩＲ推定値４０に基づいてＳＩＲ推定値４２の誤差を補正している。ここで、ＳＩＲ推定値の平均処理時間は、本実施例では、ＳＩＲ推定値を算出する際に実行する平均処理に要する時間を表わすものとする。なお、ＳＩＲは希望波対干渉波電力比を表わすが、本実施例では、干渉波には干渉波以外の各種の雑音が含まれるものとする。
【００１６】
送信電力制御局２は、図１に示すように、受信部２０、ＳＩＲ推定部２２、減算器２４，３２、誤差判定部２６、比較値書換部２８、比較値保持部３０、制御情報変換部３４および送信部３６を含む。受信部２０は、送信電力被制御局１から送られてくる高周波信号を受信し、受信した高周波信号を復調して受信信号３８を出力する無線受信部である。ＳＩＲ推定部２２は、受信信号３８を用いてＳＩＲ推定値を算出するものであり、本実施例では、ＳＩＲ推定値４０およびＳＩＲ推定値４２の２種類を算出している。図２は、ＳＩＲ推定部２２の実施例を示すブロック図である。
【００１７】
図２のＳＩＲ  推定部２２は、二乗演算器１００，１０６、平均演算器１０２，１０４，１１２，１１４、減算器１０８，１１６および除算器（Ｓ／Ｉ）１１０，１１８から構成される。なお、本実施例では、受信部２０で復調される復調信号は、１フレームが複数のスロットから構成され、各スロットには複数のシンボルからなるパイロット信号が含まれているものとし、このパイロット信号の区間Ｔ２におけるシンボルが受信信号３８としてＳＩＲ推定部２２に入力されるものとする。ただし、受信信号３８は、ＳＩＲ推定値を算出するに適している信号であればパイロット信号に限定されるものではない。なお、区間Ｔ２の長さは、少なくとも送信電力被制御局１の送信電力が振動を起こさない程度に設定される。
【００１８】
二乗演算器１００および平均演算器１０２は、受信信号３８の平均電力を算出する平均電力算出手段を構成する。二乗演算器１００は、区間Ｔ２に入力される受信信号３８をシンボル毎に二乗して各シンボルの電力を算出するものである。平均演算器１０２は、二乗演算器１００により算出された電力の平均値を算出して平均電力１２０を出力するものである。この平均電力１２０は、希望波成分と干渉波成分とからなる受信信号３８の１シンボル当りの平均電力であり、本実施例では、スロット毎に算出される。
【００１９】
平均演算器１０４および二乗演算器１０６は、受信信号３８の希望波成分の平均電力を算出する平均電力算出手段を構成する。平均演算器１０４は、区間Ｔ２に入力される受信信号３８に対して同相平均を施し、受信信号３８から希望波成分を取り出すものである。二乗演算器１０６は、平均演算器１０４から出力される希望波成分を二乗してその電力を算出し、これを平均電力１２２として出力するものである。この平均電力１２２は、希望波成分の１シンボル当りの平均電力（Ｓ）であり、本実施例では、スロット毎に算出される。
【００２０】
減算器１０８および除算器１１０は、平均処理時間の短いＳＩＲ推定値を算出するＳＩＲ推定値算出手段を構成する。減算器１０８は、平均演算器１０２から出力される平均電力１２０から、二乗演算器１０６から出力される平均電力１２２を減算して干渉波成分の平均電力（Ｉ）を算出し、これを平均電力１２４として出力するものである。除算器１１０は、二乗演算器１０６から出力される平均電力１２２を、減算器１０８から出力される平均電力１２４で除算してＳＩＲ推定値４２を算出するものである。
【００２１】
また、平均演算器１１２，１１４は、それぞれ平均電力１２０，１２２の平均値を算出する平均値算出手段である。平均演算器１１２は、複数のスロット区間（区間Ｔ３）に平均演算器１０２からスロット毎に出力される平均電力１２０の平均値を算出し、平均電力１２６を出力するものである。平均演算器１１４も平均演算器１１２と同様にして、区間Ｔ３に二乗演算器１０６から出力される平均電力１２２の平均値を算出し、平均電力１２８を出力するものである。なお、区間Ｔ３の長は、除算器１１８から出力されるＳＩＲ推定値４２が実際のＳＩＲ値にほぼ一致するように設定される。
【００２２】
減算器１１６および除算器１１８は、平均処理時間の長いＳＩＲ推定値を算出するＳＩＲ推定値算出手段を構成する。減算器１１６は、平均演算器１１２から出力される平均電力１２６から、平均演算器１１４から出力される平均電力１２８を減算し、干渉波成分の平均電力１３０を算出するものである。除算器１１８は、平均演算器１１４から出力される平均電力１２８を、減算器１１６から出力される平均電力１３０で除算し、ＳＩＲ推定値４０を算出するものである。ここで、平均電力１２６および１２８は、平均電力１２０および１２２をそれぞれ区間Ｔ３（Ｔ３＞Ｔ２））についてさらに平均したものであるので、ＳＩＲ推定値４０の平均処理時間はＳＩＲ推定値４２の場合よりも長くなり、ＳＩＲ推定値４０はＳＩＲ推定値４２に比べて実際のＳＩＲ値により近い値となる。
【００２３】
図１に戻って減算器２４は、ＳＩＲ推定部２２から出力されるＳＩＲ推定値４０からＳＩＲ収束値を減算し、ＳＩＲ推定値４０がＳＩＲ収束値からずれている程度を示す減算結果４４を出力するものである。ここで、ＳＩＲ収束値は、送受信する情報（例えば、データ、音声等）に応じてシステムにより決定され、送受信する情報に適したＳＩＲ値に設定される。
【００２４】
誤差判定部２６は、ＳＩＲ推定値４０がＳＩＲ収束値に収束しているかどうかを判定するものである。具体的には、減算器２４から出力される減算結果４４の絶対値が予め設定された閾値より小さい場合、ＳＩＲ推定値４０はＳＩＲ収束値に収束しているものと判定して０を示す判定結果４６を出力し、減算結果４４の絶対値が閾値より大きい場合、ＳＩＲ推定値４０はＳＩＲ収束値に収束していないと判定して減算結果４４の値を示す判定結果４６を出力する。
【００２５】
比較値保持部３０は、ＳＩＲ比較値を保持するものである。比較値書換部２８は、比較値保持部３０に保持されているＳＩＲ比較値を、誤差判定部２６から出力される判定結果４６に基づいて補正するものである。例えば、比較値保持部３０に保持されているＳＩＲ比較値から判定結果４８が示す値を減算することによりＳＩＲ比較値を書き換える。なお、ＳＩＲ比較値の初期値は特に限定されるものではなく、例えば、ＳＩＲ収束値でもよい。減算器３２は、ＳＩＲ推定部２２から出力されるＳＩＲ推定値４２から、比較値保持部３０に保持されているＳＩＲ比較値を減算し、減算結果５２を出力するものである。
【００２６】
制御情報変換部３４は、減算器３２から出力される減算結果５２に基づいて、送信電力を制御するための電力制御情報５４を生成するものである。電力制御情報５４は、ＳＩＲ推定値４２がＳＩＲ比較値より大きい場合には送信電力の低減を指示し、ＳＩＲ推定値４２がＳＩＲ比較値より小さい場合には送信電力の増大を指示するものである。送信電力被制御局１では、この電力制御情報５４による指示に従って、送信電力を予め定められた割合でステップ的に増減する。
【００２７】
送信部３６は、送信信号により変調された高周波信号を生成して送信する無線送信部であり、本実施例では、制御情報変換部３４により生成された電力制御情報５４を送信信号に付加する付加手段を有する。
【００２８】
このように構成された送信電力制御システムの動作を説明すると、送信電力制御局２では、送信電力被制御局１から送信された高周波信号を受信部２０により復調し、復調した信号から受信信号３８を取り出してＳＩＲ推定部２２に入力する。ＳＩＲ推定部２２では、受信信号３８を用いて平均処理時間の長いＳＩＲ推定値４０と平均処理時間の短いＳＩＲ推定値４２とを算出する。
【００２９】
図２に示すＳＩＲ推定部２２では、二乗演算器１００および平均演算器１０２により、区間Ｔ２に入力される受信信号３８の平均電力１２０を算出し、平均演算器１０４および二乗演算器１０６により、区間Ｔ２に入力される受信信号３８の希望波成分の平均電力１２２を算出する。さらに、平均演算器１１２により、平均演算器１０２から出力される平均電力１２０の区間Ｔ３における平均電力１２６を算出し、平均演算器１１４により、二乗演算器１０６から出力される平均電力１２２の区間Ｔ３における平均電力１２８を算出する。
【００３０】
そして、減算器１０８により、平均電力１２０から平均電力１２２を減算して干渉波成分の平均電力１２４を算出し、除算器１１０により、平均電力１２２を平均電力１２４で除算して平均処理時間の短いＳＩＲ推定値４２を算出する。また、減算器１１６により、平均電力１２６から平均電力１２８を減算して干渉波成分の平均電力１３０を算出し、除算器１１８により、平均電力１２８を平均電力１３０で除算して平均処理時間の長いＳＩＲ推定値４０を算出する。ＳＩＲ推定値４０は、区間Ｔ３（複数スロットに対応する）毎に算出され、図１の減算器２４に入力される。ＳＩＲ推定値４２は、区間Ｔ２（１スロットに対応する）毎に算出され、図１の減算器３２に入力される。
【００３１】
減算器２４では、ＳＩＲ推定値４０からＳＩＲ収束値を減算してその差を示す減算結果４４を出力し、誤差判定部２６では、減算結果４４の絶対値が閾値より小さいとき０を示し、大きいとき減算結果４４の値を示す判定結果４６を出力する。比較値書換部２８では、比較値保持部３０に保持されているＳＩＲ比較値を、誤差判定部２６から出力される判定結果４８の値を減算することにより補正する。したがって、ＳＩＲ比較値は、ＳＩＲ推定値４０がＳＩＲ収束値より大きい場合には小さくなり、ＳＩＲ推定値４０がＳＩＲ収束値より小さい場合には大きくなるように補正され、ＳＩＲ推定値４０がＳＩＲ収束値に収束されている場合にはそのまま保持される。ＳＩＲ比較値は減算器３２に与えられる。
【００３２】
減算器３２では、ＳＩＲ推定部２２から出力されるＳＩＲ推定値４２からＳＩＲ比較値を減算し、減算結果５２を出力する。送信電力被制御局１の送信電力は、ＳＩＲ推定値４２がＳＩＲ比較値に収束するように制御される。制御情報変換部３４では、減算結果５２に基づいて、ＳＩＲ推定値４２がＳＩＲ比較値より大きい場合は送信電力の低減を、ＳＩＲ推定値４２がＳＩＲ比較値より大きい場合は送信電力の増大を指示する電力制御情報５４を生成する。電力制御情報５４は送信部３６から送信電力被制御局１へ送られる。
【００３３】
送信電力被制御局１では、送信電力制御局２から送られてきた電力制御情報５４を受信部１２により抽出し、抽出した電力制御情報５４を送信部１０に与える。送信部１０では、受信部１２から与えられた電力制御情報５４に従って送信電力を一定の割合でステップ的に増減する。
【００３４】
このように、図１の送信電力制御システムでは、送信電力制御局２のＳＩＲ推定部２２により推定されたＳＩＲ推定値４２が比較値保持部３０に保持されているＳＩＲ比較値に収束するように、送信電力被制御局１の送信電力を制御する。このＳＩＲ推定値４２の平均処理時間は短く設定されているので、送信電力制御のフィードバック応答時間が短くなり、送信電力の振動が抑えられる。しかし、ＳＩＲ推定値４２の平均処理時間を短く設定したので、ＳＩＲ推定値４２に誤差が存在し実際のＳＩＲ値と異なる恐れが生ずる。
【００３５】
そこで、本実施例では、ＳＩＲ推定部２２によりＳＩＲ推定値４２の外にＳＩＲ推定値４０を算出する。このＳＩＲ推定値４０は、平均処理時間がＳＩＲ推定値４２より長いので、ＳＩＲ推定値４２の場合よりも実際のＳＩＲ値に非常に近いものとなる。図１の送信電力制御システムでは、ＳＩＲ推定値４０がＳＩＲ収束値に収束するように、比較値保持部３０に保持されているＳＩＲ比較値を制御することによりＳＩＲ推定値４０の誤差を補正している。これにより、送信電力の振動を防止すると共に受信信号のＳＩＲ値をＳＩＲ収束値に正確に収束させることができる。
【００３６】
【発明の効果】
以上説明したように本発明による送信電力制御方法によれば、平均処理時間の短いＳＩＲ推定値とＳＩＲ比較値との差に基づいて送信電力を制御しているので、送信電力制御のフィードバック応答時間が短くなり、送信電力の振動を防止することができる。さらに、平均処理時間の長いＳＩＲ推定値と所望のＳＩＲ収束値との差に基づいてＳＩＲ比較値を制御することにより平均処理時間の短いＳＩＲ推定値の誤差を補正しているので、受信信号の実際のＳＩＲ値を所望のＳＩＲ収束値に正確に収束させることができる。
【図面の簡単な説明】
【図１】本発明による送信電力制御方法を用いた送信電力制御システムの実施例を示すブロック図である。
【図２】図１に示す送信電力制御局におけるＳＩＲ推定部を示すブロック図である。
【図３】従来のＳＩＲ推定を用いた送信電力制御システムの一例を示すブロック図である。
【図４】図３に示す送信電力制御局におけるＳＩＲ推定器を示すブロック図である。
【符号の説明】
１  送信電力被制御局
２  送信電力制御局
１０、３６  送信部
１２、２０  受信部
２２  ＳＩＲ推定部
２４、３２  減算器
２６  誤差判定部
２８  比較値書換部
３０  比較値保持部
３４  制御情報変換部
【図１】
2005006252.tif 000003
【図２】
2005006252.tif 000004
【図３】
2005006252.tif 000005
【図４】
2005006252.tif 000006